(57)【要約】【課題】電池を使用しない無線式無線呼出システムでは、電源容量の関係上発信部に呼出確認信号を受信するための受信部を備えることができず、失報を防ぐために１日１回の動作確認が必須となっていたが、そのまま動作確認を行なうと誤報との区別がつかないという問題があった。【解決手段】無線受信機が完結モードと中継モードの２つのモードを有し、ナースコール子機、インターホン親機等の接続機器に接続されていない時には完結モードで動作するとともに、接続機器に接続されている時に完結モードに設定するための切替スイッチを備え、完結モードでは無線受信機自身が呼出音を鳴動するとともに、呼出信号を接続機器に送信しないようにした。【選択図】図１
2014165713.tif 000002
【特許請求の範囲】
【請求項１】
医療施設においてベッド上の患者がナースステーションの看護師を呼び出す、あるいは住宅内及び住宅近傍で居住者が住宅内の他の居住者や管理人を呼び出す無線呼出システムにおいて、
ベッドに入院している患者が前記ナースステーションの看護師を呼び出すためにベッド上などの患者に近い位置に設置される、あるいは住宅内で居住者が他の居住者を呼び出すために介助を必要とする位置に設置される、あるいは集合住宅の共用室、エントランス、エレベーターホール等の共用部で居住者が管理人や他の居住者を呼び出すために介助を必要とする位置に設置されるインターホン用無線押しボタン（２）と、前記インターホン用無線押しボタンからの呼出信号を受信する無線受信機(４)を備え、
前記無線受信機は、病室のベッド近傍に設置されたナースコール子機（３）、住宅内に設置されたインターホン親機（６）の双方に接続することができる（以下、ナースコール子機とインターホン親機を総称して「接続機器」と称する。）ものであって、
前記無線受信機は、前記固有符号を記憶する記憶部（４２）を備え、
さらに前記無線受信機は、前記記憶部に記憶された前記固有符号と同一の固有符号の呼出を受信した際には前記接続機器に呼出信号を送信する中継モードと、前記接続機器に対する呼出信号の送信を抑止する完結モードの２つの動作モードを有し、
前記無線受信機は、前記中継モードにおいて、前記記憶部に記憶された前記固有符号と異なる固有符号の呼出を受信した際には前記接続機器への呼出信号の送信を抑止するとともに、前記接続機器との接続が切り離されたことを検出すると中継モードから完結モードに移行するための受信機ＣＰＵ（４３）を備え、
前記無線受信機は、前記完結モードにおいて、呼出音を鳴動するスピーカ（４７）を備えることを特徴とする無線呼出システム。
【請求項２】
前記中継モードでは、前記無線受信機における呼出音の鳴動を停止することを特徴とする請求項１記載の無線呼出システム。
【請求項３】
前記完結モードは、前記接続機器への呼出信号を送信しないものであるとともに、前記無線受信機は、前記接続機器との接続を維持した状態のまま中継モードから完結モードに移行するための切替スイッチ（４６）を備えることを特徴とする請求項１記載の無線呼出システム。
【発明の詳細な説明】
【技術分野】
【０００１】
本発明は、病院等の医療施設に設置されるナースコール用インターホンや戸建住宅、集合住宅に設置されるインターホンに接続可能な無線呼出システムに関する。
【背景技術】
【０００２】
従来から、この種の無線呼出システムとして、呼出ボタンの電源として電池を使用した無線式の無線呼出システムが知られている。例えば、特許文献１のナースコール装置では、使用者が無線子機を操作して家族の人を呼び出すことができる。
【先行技術文献】
【特許文献】
【０００３】
【特許文献１】特開平７−２４９９９９号公報
【発明の概要】
【発明が解決しようとする課題】
【０００４】
しかしながら、従来のナースコール装置では、特許文献１の段落［００１２］に記載されているように、電池切れの検出等の信頼性を確保するために定期的に通信を行なわなければならないため、医療施設等、患者が常時ナースコールを使用するような場所では電池消耗が早すぎて使用することができなかった。
この改善策として、電池を使用せず、呼出操作による運動エネルギーにより発電して呼出信号を送信する無線子機が望まれていたが、この形態では無線子機において呼出確認信号を受信することができないため、無線受信機との通信の信頼性を確保することができなかった。
【０００５】
さらに、電池を使用しない無線子機においては、動作確認のために１日１回程度の動作確認試験を必要とするが、そのたびに呼出信号が送出されるため誤報と区別がつかないという問題があった。
【０００６】
本発明は、上述の難点を解消するためになされたもので、発電により呼出信号を送信する無線子機において、使用開始時にペアリング動作により無線受信機との接続を確立した後に無線受信機と接続機器との接続を解除する、あるいは切替スイッチを完結モード側に切り替えると、無線受信機が中継モードから完結モードに移行して、完結モードで無線子機の呼出操作を行なうと無線受信機から呼出音や呼出確認表示がなされることによって動作確認が容易となるとともに、中継モードでは遠方の居室親機やナースコール親機に呼出を通知するとともに無線受信機からの呼出音を抑止して受信機周辺の静寂性を確保することができる。さらに、動作確認時以外でも完結モードに移行することにより、無線子機と無線受信機のみの組合せで独立して動作することができるものである。
【課題を解決するための手段】
【０００７】
この目的を達成するため、本発明による無線呼出システムは、医療施設、あるいは戸建住宅、集合住宅、及び住宅近傍で、ナースステーションの看護師、あるいは居住者や管理人を呼び出す呼出システムにおいて、呼出信号を無線で送信するインターホン用無線押しボタンと、インターホン用無線押しボタンからの呼出信号を受信するために無線呼出システムに接続され、インターホン用無線押しボタンからの呼出信号を受信する無線受信機を備え、無線受信機は、病室のベッド近傍に設置されたナースコール子機、住宅内に設置されたインターホン親機からなる接続機器のいずれにも接続することができるものであって、インターホン用無線押しボタンは電源部を有しないものであり、電源部に代えて、押しボタンを押下すると押下による運動エネルギーを電気エネルギーに変換する発電部を備えるとともに、電気エネルギーにより固有符号を含む無線信号を送信するとともに無線信号の送信後は再び押下による電気エネルギーを得るまで動作を停止する無線送信部を備え、さらに押下による運動エネルギーを少量とするために無線受信部を有しないものであり、受信機制御部は、インターホン用無線押しボタンのＩＤ等の固有符号を記憶する記憶部を備え、さらに無線受信機は、記憶部に記憶された固有符号と同一の固有符号の呼出を受信した際には接続機器に呼出信号を送信する中継モードと、接続機器に対する呼出信号の送信を抑止する完結モードの２つの動作モードを有し、
中継モードでは、記憶部に記憶された固有符号と異なる固有符号の呼出を受信した際には接続機器への呼出信号の送信を抑止するとともに、完結モードでは、中継モードでの呼出信号を送信する動作に代えて呼出音を鳴動するスピーカを備え、無線受信機は、接続機器との接続が切り離されたことを検出すると中継モードから完結モードに移行するための受信機ＣＰＵを備えるものである。
【０００８】
また、本発明による無線呼出システムは、中継モードでは無線受信機における呼出音の鳴動を停止するものである。
【０００９】
また、本発明による無線呼出システムは、無線受信機は、接続機器との接続を維持した状態のまま中継モードから完結モードに移行するための切替スイッチを備えるものである。
【発明の効果】
【００１０】
請求項１の無線呼出システムによれば、ペアリング完了後に無線子機と無線受信機のみで接続確認ができるため、無線子機が無線受信部を有していない場合においても、ペアリングの信頼度を向上させて無線子機からの呼出操作が失報することを防ぐことができる。さらには、接続確認時以外の通常使用においても接続機器と接続せずに使用することができるため、無線受信部を可搬して使用範囲が広範となるとともに、最少の使用形態では接続機器そのものが不要となり、コストを低減することができる。
【００１１】
請求項２の無線呼出システムによれば、完結モード時以外は呼出音が無線受信機から鳴動しないため、例えば複数の患者が入院する病室等で他の患者の不快感を防止することができる。
【００１２】
請求項３の無線呼出システムによれば、切替スイッチの操作により接続機器との接続を解除せずに完結モードに移行して呼出音が無線受信機から鳴動するとともに、呼出通知を接続機器に送信しないため、接続機器との接続をしたままでの動作確認が容易となるとともに、無駄な呼出信号を抑止することができる。
【図面の簡単な説明】
【００１３】
【図１】図１は、本発明の医療施設における実施例による無線呼出システムの全体（外観）構成を示す構成図である。
【図２】図２は、本発明の住宅における実施例による無線呼出システムの全体（外観）構成を示す構成図である。
【図３】図３は、本発明の集合住宅における実施例による無線呼出システムの全体（外観）構成を示す構成図である。
【図４】図４は、本発明の実施例による無線呼出システムにおいて、インターホン用無線押しボタン及び無線受信機の具体的な構成を示すブロック図である。
【発明を実施するための形態】
【００１４】
以下、本発明の無線呼出システムを適用した最良の実施の形態例について、図面を参照して説明する。図１は、本発明の医療施設における一実施例による無線呼出システムの全体構成を示す構成図であり、看護師を呼び出すために病室内の病床にそれぞれ設置される複数のナースコール子機３と、ナースステーション内に設置され病室からの呼出信号を受信して呼出報知を行なうナースコール親機１と、病室出入口の廊下に設置されてナースコール子機の信号をナースコール親機１に伝送するとともにナースコール子機の呼出信号を報知する廊下灯５と、病室のベッドに入院している患者が前記ナースコール親機１を呼び出すためにベッド上などの患者に近い位置に設置されるインターホン用無線押しボタン２と、インターホン用無線押しボタン２からの呼出信号を受信するためにナースコール子機３に接続される無線受信機４とで構成されている。
【００１５】
ナースコール親機１には、ベッド近傍に設置されたナースコール子機３が廊下灯５を介して接続されている。
ナースコール子機３には患者が看護師を呼び出す呼出握りボタン３１が接続されているとともに、看護師がベッドまで来て対応を完了した旨をナースコール親機１に通知するための復旧ボタン３３と、呼出握りボタン３１の操作により呼び出された看護師がナースコール親機１で応答した際に当該看護師と通話を行なうための通話部３２とを備えている。なお、通話部３２は、図１のようにナースコール子機３と一体のもの及びナースコール子機３と別体のものがそれぞれ存在するが、外観の違いのみで動作は同様である。
また、ナースコール子機３には、呼出握りボタン３１あるいは無線受信機４の少なくとも１つが接続されていれば呼出を行なうことができ、さらには呼出握りボタン３１及び無線受信機４の双方を１つのナースコール子機３に接続することも好適である。
【００１６】
無線受信機４は、インターホン用無線押しボタン２からの呼出信号を受信した際に、自らは呼出音の鳴動を行なわず、ナースコール子機３に呼出信号を転送する中継モードと、ナースコール子機３への呼出信号の送信を抑止し、独立して呼出音を鳴動する完結モードと、インターホン用無線押しボタン２との接続関係を確立するためのペアリングモードの３つの動作モードが存在する。
無線受信機４にはペアリング時に操作することによって無線受信機４をペアリングモードに遷移させるペアリング開始ボタン４１と、呼出信号受信やペアリング完了を通知する表示灯４５と、完結モードでインターホン用無線押しボタン２からの呼出信号を受信した際に呼出音を鳴動するスピーカ４７と、ペアリングモード以外の状態でかつナースコール子機３が接続されている際に無線受信機４を完結モードあるいは中継モードのいずれかに設定するかを選択する切替スイッチ４６とを備えている。
なお、無線受信機４にナースコール子機３が接続されていない状態では、中継先の機器がないことから、無線受信機４は常にペアリングモードあるいは完結モードのいずれかのモードで動作し、中継モードで動作することはない。
【００１７】
図２は、本発明の住宅における一実施例による無線呼出システムの全体構成を示す構成図であり、玄関に設置されて住宅内の居住者を呼び出すとともに玄関周辺の映像を撮像する玄関子機７と、住宅内に設置されて、玄関子機７やインターホン用無線押しボタン２からの呼出信号を受信すると呼出音を鳴動するとともに、玄関子機７の撮像映像を出画しつつ玄関子機７と通話するインターホン親機６と、図１と同様の構成であるインターホン用無線押しボタン２と、住宅内で居住者が他の居住者を呼び出すために介助を必要とする位置に設置される無線受信機４とで構成されている。
無線受信機４は、インターホン親機６に接続されており、無線受信機４が中継モードになっている際にはインターホン親機６に呼出信号が転送される。また、無線受信機４にインターホン親機６が接続されていない状態では、図１と同様に無線受信機４は常にペアリングモードあるいは完結モードのいずれかのモードで動作し、中継モードで動作することはない。
【００１８】
図３は、本発明の集合住宅における一実施例による無線呼出システムの全体構成を示す構成図であり、各住宅の玄関子機７、インターホン親機６、インターホン用無線押しボタン２と、無線受信機４については図２と同様の構成であるため、一部の構成を省略している。
各住宅のインターホン親機６は集合住宅のインターホン全体の通話路を制御する制御装置９に接続され、制御装置９には、集合住宅の玄関に設置されて訪問者が各居住者のインターホン親機６を呼び出して通話する集合玄関機１０と、集合住宅の管理人室に設置されて、インターホン親機６からの警報信号を受信して報知するとともに、管理人が各居住者のインターホン親機６を呼び出して通話する管理室親機８とが接続され、さらに、制御装置９と管理室親機８には、集合住宅内の共用室、エントランス、エレベーターホール等の共用部、あるいは集合住宅近傍のインターホン用無線押しボタン２からの呼出信号を受信する無線受信機４が接続されている。また、無線受信機４にインターホン親機６、管理室親機８、制御装置９がいずれも接続されていない状態では、図１と同様に無線受信機４は常にペアリングモードあるいは完結モードのいずれかのモードで動作し、中継モードで動作することはない。
【００１９】
図４はインターホン用無線押しボタン２、無線受信機４の具体的な構成を示すブロック図である。インターホン用無線押しボタン２には、患者が看護師を呼び出すために表面に露出する可動ボタン２１と、可動ボタン２１の動作による運動エネルギーを用いて発電を行なう発電部２２と、発電部２２の電力によって予めインターホン用無線押しボタン２内に記憶されているＩＤ等の固有符号とともに呼出信号を送信する無線送信部２３とを備えている。無線受信機４は、前述したペアリング開始ボタン４１、表示灯４５、切替スイッチ４６、スピーカ４７のほか、インターホン用無線押しボタン２からの呼出信号を固有符号とともに受信する受信アンテナ４４と、ペアリング相手のインターホン用無線押しボタンの固有符号を記憶する記憶部４２と、無線受信機４の各部を制御する受信機ＣＰＵ４３とを備えている。なお、インターホン用無線押しボタン２に呼出確認信号を受信するための無線受信部を設置すると動作の信頼性が向上するが、インターホン用無線押しボタン２には電源部が存在しないことから発電部２２が発電する電力を大きくしなければならないが、可動ボタン２１の操作を容易とするためには、可動ボタン２１の動作による運動エネルギーを少量とする必要があるため、無線受信部を設置することは困難である。
なお、無線受信機４には、少なくともナースコール子機３とインターホン親機６が接続機器として接続可能であるが、さらに、図３における集合住宅における実施例のように、制御装置９と管理室親機８にも接続可能とすることも好適である。
【００２０】
このように構成された本発明の一実施例による無線呼出システムにおいて、以下、その動作について説明する。なお、ナースコール子機３の呼出握りボタン３１を操作して看護師を呼び出して通話する動作については、従来のナースコールと同様であるため説明を省略する。
【実施例１】
【００２１】
まず、インターホン用無線押しボタン２の呼出信号の送信方法について説明する。図１の構成図及び図４のブロック図において、インターホン用無線押しボタン２の可動ボタン２１を押下すると、可動ボタン２１の動作により発生した運動エネルギーによって発電部２２が発電を行なって電気エネルギーに変換し、無線送信部２３に電源が供給される。なお、可動部の運動エネルギーによって発電を行なう技術そのものについては既存技術であるため説明を省略する。
無線送信部２３は動作電源の供給を受けると、予めインターホン用無線押しボタン２の内部に記憶されている固有符号を読出し、呼出信号とともに無線送信を行なう。なお、この無線信号は微弱なものであり、到達距離は概ね１ｍから３ｍほどである。また、発電部２２の発電量は微弱であるため、１回の可動ボタン２１の操作による無線送信部２３の動作可能時間は１秒乃至５秒程度であり、発電部２２からの電力供給が停止すると、無線送信部２３の動作も停止する。
【００２２】
次に、インターホン用無線押しボタン２の使用開始時における無線受信機４とのペアリング動作について図１及び図４を用いて説明する。ペアリング動作とは、無線受信機４がどのインターホン用無線押しボタン２の呼出信号を受信するかを予め登録し、異なったナースコール子機に呼出が誤発生してしまうことを防止するための登録操作である。
【００２３】
ペアリング開始時には、無線受信機４のペアリング開始ボタン４１を操作すると、ペアリング開始ボタン４１の操作を検出した受信機ＣＰＵ４３は、表示灯４５を点滅させてペアリングモードに移行したことを視覚的に通知する。無線受信機４がペアリング動作中にインターホン用無線押しボタン２の可動ボタン２１を押下すると、前述の通り無線送信部２３は固有符号を付加した呼出信号を無線送信する。無線受信機４の受信機ＣＰＵ４３は、受信アンテナ４４を介して呼出信号を受信すると、受信した呼出信号から固有符号を取出し、記憶部４２に上書きして記憶するとともに、ペアリング完了通知を当該固有符号とともにナースコール子機３、廊下灯５を介してナースコール親機１に送信するとともに、表示灯４５を一定時間点灯させてペアリングが完了したことを通知する。
【００２４】
次に、中継モードにおける医療施設での呼出動作について図１及び図４を用いて説明する。中継モードにおける無線受信機４がインターホン用無線押しボタン２からの呼出信号を受信すると、受信機ＣＰＵ４３は受信した呼出信号から固有符号を取出し、記憶部４２に記憶された固有符号と比較する。双方の固有符号が異なっている場合には何も動作せずに待受状態を維持するとともに、双方の固有符号が同一である場合には呼出信号を当該固有符号とともにナースコール子機３、廊下灯５を介してナースコール親機１に送信するとともに、表示灯４５を点灯させて呼出操作が受け付けられたことを視覚的に通知する。なお、無線受信機４はインターホン用無線押しボタン２からの呼出信号を受信した場合でも呼出音が鳴動することはない。
呼出信号を受信したナースコール親機１は、呼出音、呼出表示等の呼出通知によりインターホン用無線押しボタン２からの呼出を報知する。
ナースコール親機１による呼出通知を認識した看護師は、ナースコール親機１の図示しない通話部でナースコール子機３の通話部３２との通話路を確立して通話を行なうとともに、通話終了後に病室の患者のもとへ駆けつけ、ナースコール子機３の復旧ボタン３３を操作して呼出動作を終了する。
【実施例２】
【００２５】
第２の実施例として、完結モードにおける医療施設での呼出動作及び１日に１回行なう動作確認について図１及び図４を用いて説明する。なお、ペアリングに関する動作については全ての実施例で共通であることから、説明を省略する。無線受信機４を中継モードから完結モードに変更するには、無線受信機４とナースコール子機３の接続線を取り外すか、あるいは切替スイッチ４６を完結モード側へ切り替えることにより実施できる。
動作確認のため、看護師は、インターホン用無線押しボタン２を操作する。完結モードにある無線受信機４がインターホン用無線押しボタン２からの呼出信号を受信すると、受信機ＣＰＵ４３は受信した呼出信号から固有符号を取出し、記憶部４２に記憶された固有符号と比較する。双方の固有符号が異なっている場合には何も動作せずに待受状態を維持するとともに、双方の固有符号が同一である場合には呼出音をスピーカ４７から鳴動して呼出を報知する。呼出音を確認した看護師は、無線受信機４の図示しない復旧ボタンを操作して呼出動作を終了する。
また、副次的効果として、ナースコール親機１を呼ぶまでもない簡易的な呼出の目的でインターホン用無線押しボタン２を使用する方法について説明する。完結モードにある無線受信機４がインターホン用無線押しボタン２からの呼出信号を受信すると、受信機ＣＰＵ４３は受信した呼出信号から固有符号を取出し、記憶部４２に記憶された固有符号と比較する。双方の固有符号が異なっている場合には何も動作せずに待受状態を維持するとともに、双方の固有符号が同一である場合には呼出音をスピーカ４７から鳴動して呼出を報知する。呼出音に気づいた看護師は、病室の患者のもとへ駆けつけ、無線受信機４の図示しない復旧ボタンを操作して呼出動作を終了する。
【実施例３】
【００２６】
第３の実施例として、中継モードにおける住宅での呼出動作について図２及び図４を用いて説明する。なお、ペアリングに関する動作については全ての実施例で共通であることから、説明を省略する。中継モードにおける無線受信機４がインターホン用無線押しボタン２からの呼出信号を受信すると、受信機ＣＰＵ４３は受信した呼出信号から固有符号を取出し、記憶部４２に記憶された固有符号と比較する。双方の固有符号が異なっている場合には何も動作せずに待受状態を維持するとともに、双方の固有符号が同一である場合には呼出信号を当該固有符号とともにインターホン親機６に送信するとともに、表示灯４５を点灯させて呼出操作が受け付けられたことを視覚的に通知する。なお、無線受信機４はインターホン用無線押しボタン２からの呼出信号を受信した場合でも呼出音が鳴動することはない。
呼出信号を受信したインターホン親機６は、呼出音、呼出表示等の呼出通知によりインターホン用無線押しボタン２からの呼出を報知する。
インターホン親機６による呼出通知を認識した居住者は、インターホン親機６の呼出音停止スイッチ、あるいは終話スイッチ等のスイッチを操作して呼出を停止させるとともに、呼出を行なった居住者のもとへ駆けつける。さらに、一定時間インターホン親機６によるスイッチの操作を検出できなかった場合には、インターホン親機６から玄関子機７に呼出信号を送信し、玄関子機７からも呼出音を鳴動して住宅内で異常が発生していることを知らせることができる。
【００２７】
なお、完結モードにおいて１日に１回行なう動作確認及び簡易的な呼出動作については第２の実施例と同様であるため説明を省略する。
【実施例４】
【００２８】
第４の実施例として、中継モードにおける集合住宅での呼出動作について図３及び図４を用いて説明する。なお、ペアリングに関する動作については全ての実施例で共通であることから、説明を省略する。図３において、無線受信機４は制御装置９、管理室親機８、インターホン親機６に接続されている。
インターホン親機６に接続された中継モードにおける無線受信機４がインターホン用無線押しボタン２からの呼出信号を受信すると、受信機ＣＰＵ４３は受信した呼出信号から固有符号を取出し、記憶部４２に記憶された固有符号と比較する。双方の固有符号が異なっている場合には何も動作せずに待受状態を維持するとともに、双方の固有符号が同一である場合には呼出信号を当該固有符号とともにインターホン親機６に送信するとともに、表示灯４５を点灯させて呼出操作が受け付けられたことを視覚的に通知する。
呼出信号を受信したインターホン親機６は、呼出音、呼出表示等の呼出通知によりインターホン用無線押しボタン２からの呼出を報知する。
インターホン親機６による呼出通知を認識した居住者は、インターホン親機６の呼出音停止スイッチ、あるいは終話スイッチ等のスイッチを操作して呼出を停止させるとともに、呼出を行なった居住者のもとへ駆けつける。さらに、一定時間インターホン親機６によるスイッチの操作を検出できなかった場合には、インターホン親機６から玄関子機７に呼出信号を送信し、玄関子機７からも呼出音を鳴動するとともに、インターホン親機６から制御装置９を経由して管理室親機８へ呼出信号を送信して管理室親機８で呼出音を鳴動することにより、管理人や近隣の居住者に住宅内で異常が発生していることを知らせることができる。
【００２９】
また、管理室親機８に接続された中継モードにおける無線受信機４がインターホン用無線押しボタン２からの呼出信号を受信すると、受信機ＣＰＵ４３は受信した呼出信号から固有符号を取出し、記憶部４２に記憶された固有符号と比較する。双方の固有符号が異なっている場合には何も動作せずに待受状態を維持するとともに、双方の固有符号が同一である場合には呼出信号を当該固有符号とともに管理室親機８に送信するとともに、表示灯４５を点灯させて呼出操作が受け付けられたことを視覚的に通知する。
呼出信号を受信した管理室親機８は、呼出音、呼出表示等の呼出通知によりインターホン用無線押しボタン２からの呼出を報知する。
管理室親機８による呼出通知を認識した管理人は、管理室親機８の呼出音停止スイッチ、あるいは終話スイッチ等のスイッチを操作して呼出を停止させるとともに、呼出を行なった居住者のもとへ駆けつける。
【００３０】
また、制御装置９に接続された中継モードにおける無線受信機４がインターホン用無線押しボタン２からの呼出信号を受信すると、受信機ＣＰＵ４３は受信した呼出信号から固有符号を取出し、記憶部４２に記憶された固有符号と比較する。双方の固有符号が異なっている場合には何も動作せずに待受状態を維持するとともに、双方の固有符号が同一である場合には呼出信号を当該固有符号とともに制御装置９に送信するとともに、表示灯４５を点灯させて呼出操作が受け付けられたことを視覚的に通知する。なお、無線受信機４はインターホン用無線押しボタン２からの呼出信号を受信した場合でも呼出音が鳴動することはない
呼出信号を受信した制御装置９は、複数のインターホン親機６の中から固有符号をもとに呼出信号を操作した居住者の居住するインターホン親機６を特定し、当該インターホン親機６及び管理室親機８に対して呼出信号を送信する。
呼出信号を受信したインターホン親機６及び管理室親機８は、呼出音、呼出表示等の呼出通知によりインターホン用無線押しボタン２からの呼出を報知する。
インターホン親機６及び管理室親機８による呼出通知を認識した居住者又は管理人は、インターホン親機６及び管理室親機８の呼出音停止スイッチ、あるいは終話スイッチ等のスイッチを操作して呼出を停止させるとともに、呼出を行なった居住者のもとへ駆けつける。
【００３１】
なお、完結モードにおいて１日に１回行なう動作確認及び呼出動作については第２の実施例と同様であるため説明を省略するが、図３の構成において制御装置９に接続された無線受信機４において完結モードでの簡易的な呼出動作を使用する際には、集合住宅の共用部あるいは集合住宅周辺の無線受信機４を設置した地点において呼出音が鳴動するため、呼出の場合には通りすがりの居住者等の近隣の人が駆けつけることになる。
【産業上の利用可能性】
【００３２】
なお、本実施例ではペアリングの台数に際して詳述していないが、１台の無線受信機には１台あるいは複数台のインターホン用無線押しボタンをペアリング設定して設置することができる。複数台の場合には記憶部には複数の固有符号を記憶するとともに、ペアリング成功時には新たな固有符号を記憶部に追加する。
また、本実施例では制御装置に接続された無線受信機からの固有符号のみ操作者を特定していたが、これに限らず、全ての実施例において固有符号をもとに操作者を特定することも好適である。
【符号の説明】
【００３３】
２              インターホン用無線押しボタン
２２            発電部
２３            無線送信部
３              ナースコール子機
４              無線受信機
４２            記憶部
４３            受信機ＣＰＵ
４６            切替スイッチ
４７            スピーカ
６              インターホン親機
【図１】
2014165713.tif 000003
【図２】
2014165713.tif 000004
【図３】
2014165713.tif 000005
【図４】
2014165713.tif 000006